(57)【要約】棚板兼用風防板（４４，４６）を有するキャンプ用コンロ（２０）を提供する。ある実施態様では、棚板兼用風防板（４４，４６）は、キャンプ用コンロ（２０）の火室（２２）の片側に蝶着される。棚板兼用風防板（４４，４６）は、上側に立ててキャンプ用コンロ（２０）の蓋（４０）に取り付けると、風防板として機能する。棚板兼用風防板（４４，４６）は、下側に倒すと、地面と水平に配置され、棚板として使用できる。ある実施態様では、当該風防板（４４，４６）は、棚板として機能するときに、キャンプ用コンロ（２０）から外側に展開される。しかし、代替的な実施態様では、当該風防板（４４，４６）は、コンロの表面に対して内側に折り畳まれ、棚板として機能する。【選択図】図１
2008518188.tif 000002
【特許請求の範囲】
【請求項１】
風防板として機能する第１位置と、棚板として機能する第２位置との間で転換可能である構造体を備えるキャンプ用コンロ。
【請求項２】
第１位置で、構造体が実質的に垂直方向に伸長する請求項１のキャンプ用コンロ。
【請求項３】
第２位置で、構造体が実質的に水平方向に伸長する請求項２のキャンプ用コンロ。
【請求項４】
第２位置で、構造体が実質的に水平方向に伸長する請求項１のキャンプ用コンロ。
【請求項５】
さらに蓋を備え、第１位置で、構造体が蓋に取付け可能である請求項１のキャンプ用コンロ。
【請求項６】
蓋と構造体のうち一方が突起を備え、蓋と構造体のうち他方が、構造体が第１位置にあるときに、該突起と嵌合する開口を備える請求項５のキャンプ用コンロ。
【請求項７】
開位置にあるとき、蓋がキャンプ用コンロの背面に沿って伸長し、第１位置にあるとき、構造体がキャンプ用コンロの側面に沿って伸長する請求項５のキャンプ用コンロ。
【請求項８】
構造体がキャンプ用コンロに蝶着されている請求項１のキャンプ用コンロ。
【請求項９】
構造体が第２位置にあるときに、蓋が第２位置を超えて回転することを防ぐために、該蓋がキャンプ用コンロに接触する面を備える請求項８のキャンプ用コンロ。
【請求項１０】
前記面が、構造体の丸みのある基部からなる請求項９のキャンプ用コンロ。
【請求項１１】
さらに火室を備え、構造体が第２位置にあるときに、構造体が火室より外側に展開する請求項１のキャンプ用コンロ。
【請求項１２】
さらに火室を備え、構造体が第２位置にあるときに、構造体が火室の上に展開する請求項１のキャンプ用コンロ。
【請求項１３】
火室と、火室に螺着され、風防板として機能する第１位置と、棚板として機能する第２位置との間で転換可能な構造体とを備えることを特徴とするキャンプ用コンロ。
【請求項１４】
第１位置で、構造体が実質的に垂直方向に沿って伸長する請求項１３のキャンプ用コンロ。
【請求項１５】
第２位置で、構造体が実質的に水平方向に沿って伸長する請求項１４のキャンプ用コンロ。
【請求項１６】
第２位置で、構造体が実質的に水平方向に沿って伸長する請求項１３のキャンプ用コンロ。
【請求項１７】
さらに蓋を備え、第１位置で、構造体が蓋に取付け可能である請求項１３のキャンプ用コンロ。
【請求項１８】
蓋と構造体のうち一方が突起を備え、蓋と構造体のうち他方が、構造体が第１位置にあるときに、該突起と嵌合する開口を備える請求項１７のキャンプ用コンロ。
【請求項１９】
開位置にあるとき、蓋がキャンプ用コンロの背面に沿って伸長し、第１位置にあるとき、構造体がキャンプ用コンロの側面に沿って伸長するキャンプ用コンロ。
【請求項２０】
構造体が第２位置にあるときに、蓋が第２位置を超えて回転することを防ぐために、該蓋がキャンプ用コンロに接触する面を備える請求項１３のキャンプ用コンロ。
【請求項２１】
前記面が、構造体の丸みのある基部からなる請求項２０のキャンプ用コンロ。
【請求項２２】
構造体が第２位置にあるときに、構造体が火室より外側に展開する請求項１３のキャンプ用コンロ。
【請求項２３】
構造体が第２位置にあるときに、構造体が火室の上に展開する請求項１３のキャンプ用コンロ。
【発明の詳細な説明】
【技術分野】
【０００１】
本発明は、コンロに関し、より具体的にはキャンプ用コンロに関する。
【背景技術】
【０００２】
キャンプ用携帯コンロは、キャンプをする人がキャンプ場で食料を調理するのによく使われる。通常、当該キャンプ用コンロは、一対のバーナーと、燃料供給源と、折り畳み式の蓋と、コンロの側面からの風を遮る風防板（バッフル）とを備える。通常、風防板は、蓋に取り付けられ、保管時には蓋に対して折り畳まれる。キャンプ用コンロを保管するためには、風防板を蓋に対して折り畳み、コンロのバーナーを覆うように蓋を折り畳む。バーナーは、通常、火室内に取り付けられ、火室を蓋で覆い隠すとバーナーを囲んだ箱状のケースになる。このケースは、段ボール箱に収容して保管してもよいし、そのままの状態で保管してもよい。
【０００３】
従来のキャンプ用コンロの燃料供給源は、通常、灯油又はプロパンのいずれかである。灯油を利用する場合、灯油タンクをコンロに、例えばコンロの前面に沿って、取り付けるのが一般的である。このタンクは、通常、保管中には取り外される。プロパンを利用するキャンプ用コンロの場合、通常、プロパンガスボンベをキャンプ用コンロに、例えばキャンプ用コンロの前面、背面、又は側面のうちの一方に取り付ける。灯油タンクと同様に、保管中はプロパンガスボンベを取り外すのが一般的である。
【発明の開示】
【発明が解決しようとする課題】
【０００４】
キャンプ用コンロは、その用途に関しては十分に機能する。しかしながら、その使用中において、キャンプ用コンロと一緒に使うアイテムの保管スペースは、ほとんどないといってよい。例えば、従来のキャンプ用コンロには、調理器具、食料、及び調味料を置く場所が備えられていないため、これらのアイテムを調理面に直に置くしかない。
【課題を解決するための手段】
【０００５】
本発明の基本的な理解を図るため、本発明のいくつかの実施態様の簡単な概要を以下に示す。本概要は本発明の外延を示すものではない。本発明の重要な／必須の要素を特定したり、あるいは本発明の範囲を画したりする意図を有するものではない。その唯一の目的は、本発明のいくつかの実施態様を、後述のより詳細な説明の前置きとして簡略に示すことである。
【０００６】
ある実施態様によると、一の形態では風防板として使用され、他の形態では棚板として使用されるように配置される少なくとも１つの棚板兼用風防板を有するキャンプ用コンロが提供される。ある実施態様では、棚板兼用風防板は、キャンプ用コンロの火室の側面のうちの一方に蝶着される。棚板兼用風防板は、上側に立てて、キャンプ用コンロの蓋に取り付けると、風防板として機能する。棚板兼用風防板は、下側に倒すと、地面と水平に配置され、棚板として使用できる。ある実施態様では、風防板が棚板として機能するとき、該風防板はキャンプ用コンロから外側に向けて展開して配置される。しかし、代替的な実施態様では、風防板はコンロの表面に対して内側に折り畳まれ、棚板として機能する。
【０００７】
本発明の他の特徴は、図面を参酌することにより、以下の詳細な説明により明らかにされる。
【発明を実施するための最良の形態】
【０００８】
以下の記述において、本発明の様々な実施態様について言及する。本実施態様の十分な理解を図るために、特定の形態及び細部についての説明をなす。ただし、特定の細部までの説明がなくても、本発明を実施しうることは、当業者には明らかである。また、周知の特徴は省略又は簡素化して、記述した実施態様が不明瞭とならないようにしている。
【０００９】
図面を参照するが、図面において、同一の符号は同一の部材を示す。図１は、本発明の一実施態様を組み込んだキャンプ用コンロ２０を示している。図２に示されるように、キャンプ用コンロ２０は、火室２２を有し、該火室２２は、その上面に焼き網（グリル）２４及び焼き板（グルドル）２６を備える。本実施態様では、コンロ２０は、２つのバーナー２８を備えるが、図２ではそのうちの１つのみ示している。ただし、本発明は、１つのバーナー、又は２つ以上のバーナーを有するキャンプ用コンロに適用されうる。また、本発明は、１面以上の焼き網面、１面以上の焼き板面、又は焼き網及び焼き板のあらゆる組み合わせ、を有するキャンプ用コンロ、及び／又は焼き網又は焼き板以外の調理面を有するキャンプ用コンロにも適用できる。
【００１０】
キャンプ用コンロ２０は、火室２２の前面に取り付けた一対の調整ノブ３０，３２を備える。図示の実施態様では、プロパンガスボンベ３４は、火室２２の右背面部に取り付けられる。ただし、本発明は、灯油、他の液体もしくは気体の燃料源、及び／又は木炭使用のグリル、その他の燃料源を使用するキャンプ用コンロにも適用される。
【００１１】
図示する実施態様では、キャンプ用コンロ２０は、ラッチ４２及びヒンジ（図示していないが、この技術分野では周知である）により、火室２２に取り付けられる蓋４０を備える。蓋４０は、バーナー２８がオフのときに閉じることで、バーナーを保護する。火室２２を蓋４０で覆うと、バーナー２８を囲む箱状の筐体が形成される。箱状に閉じられたキャンプ用コンロ２０は、段ボール箱に保管でき、又はそのまま保管できる。
【００１２】
また、キャンプ用コンロ２０は、左右の棚板兼用風防板４４，４６を備える。図示の実施態様では、棚板兼用風防板４４，４６は概ね平面で、各々が丸みのある基部４８を備える。角度付きブラケット５０が、丸みのある基部４８の基端部から火室２２の外側上縁にあるスロット５２，５４まで伸長する。角度付きブラケット５０がスロット５２，５４に支持され、棚板兼用風防板４４，４６が、丸みのある基部４８に平行な軸を中心に回転できるようになっている。
【００１３】
風防板４４，４６の各々の背面上縁には、スロット開口５６が備えられている。スロット開口５６は、蓋４０の下側にある突起５８に嵌合するように形状付けられ、配置されている。
【００１４】
保管中、棚板兼用風防板４４，４６は、焼き網２４及び焼き板２６の上面と平行に配置され保管される。この場合の棚板兼用風防板４４，４６の位置を、図１中の鎖線で示す。同様に、この場合の右側の棚板兼用風防板４６の位置を、図２中の鎖線で示す。
【００１５】
棚板兼用風防板４４，４６を風除け（すなわち、風防板）として利用するためには、蓋４０を上げて、棚板兼用風防板の各々を垂直方向に伸長するように持ち上げる。図２中、左の棚板兼用風防板４４は、この位置にある。棚板兼用風防板４４，４６をこの位置に固定するために、スロット開口５６に突起５８を嵌め込む。このように、棚板兼用風防板４４，４６を両方とも立てて、蓋４０に取り付けると、この３つの部材により、キャンプ用コンロ２０の調理面、すなわち、この実施態様における焼き網２４及び焼き板２６に対する、三方からの風除けが形成される。
【００１６】
棚板兼用風防板の一方、例えば、棚板兼用風防板４６を棚板として利用するためには、棚板兼用風防板を図２の鎖線で示す位置まで内側に折り畳むとよい。この位置で、棚板は、焼き板２６の上面に沿うことになる。焼き板２６を熱したまま、棚板兼用風防板４６を内側に折り畳んだ状態でコンロ２０を使用することは推奨されないが、例えば、コンロ２０の焼き網２４だけを使用しているときには、棚板兼用風防板４６を内側に折り畳んだ位置で使用してもよい。この構成では、棚板兼用風防板４６の裏面に、食料、調味料、調理器具、その他のアイテムを載置することができる。
【００１７】
別の棚板の構成では、棚板兼用風防板４６は、図２に示す位置まで外側に倒される。この位置で、角度付きブラケット５０と丸みのある基部４８が、火室２２の上面及び外側面と係合して、棚板兼用風防板４６がさらに下側に回転するのを防止している。このように、棚板兼用風防板４６は、外側に向けて水平方向に伸長する配置をとる。これにより、棚板兼用風防板４６を棚板として利用することができ、上記アイテムなどの多くの種類のアイテムを載置することができる。棚板兼用風防板４４も、同様にして、棚板として利用することができる。
【００１８】
図面には、一種類の棚板兼用風防板を示すが、他の構成も考えられる。例えば、棚板兼用風防板は、風防板を棚板の位置に固定するロックを備えていてもよく、また、開位置にある風防板を懸架する鎖、その他の部材を備えていてもよい。さらに、シングルタイプのヒンジを図示しているが、別のヒンジシステムを使用してもよい。また、棚板兼用風防板を火室２２に蝶着させずに、棚板兼用風防板が風防板と棚板の機能を発揮できれば、接続や配置を変更してもよい。一例として、風防板を取外し可能として、第１の垂直位置において接続することで、風防板として機能させ、第２の水平位置において接続することで、棚板として機能させるようにしてもよい。
【００１９】
他の変更も、本発明の思想の範囲内にある限り、本発明に含まれる。このように、本発明は様々な改良及び代替構成を採用することができるが、特定例の実施態様が図示され、上述したように詳述された。しかし、本発明を特定の実施態様あるいは開示された態様に限定する意図はなく、その意図は、添付の特許請求の範囲に記載された本発明の思想の範囲内にある全ての改良、代替構成、均等物も含むことにある。
【００２０】
本明細書で引用した全ての参考文献は、刊行物、特許出願の公報、及び特許の公報を含め、本明細書に、これらの文献が、個別にかつ具体的に示され、かつ、その全体が記載されている場合と同様に、本明細書に組み込まれるものとする。
【００２１】
発明を説明する中で（特に、以下の請求項において）、「ある」、「１つの」、「その」、その他の指示語の使用は、本明細書で別段の指摘がない限り、又は文脈上明らかに矛盾しない限り、単数及び複数の両方を含むものと解釈するべきである。「備える」、「有する」、「含む」、及び「包含する」という用語は、別段の注記がない限り、非限定的な用語として解釈するべきである（すなわち、「それだけに限定されずに含む」ことを意味する）。「接続」という用語は、何らかの介在物があるとしても、部分的にあるいは全体として中に含まれる、取り付けられる、又は一緒に接合されると解釈するべきである。本明細書において値の範囲の記述は、本明細書で別段の指摘がない限り、その範囲内に入る個々の値への言及を省略することを意図しているのであって、本明細書で個々の値を個別に列挙した場合と同様に、個々の値は本明細書に組み込まれているものとする。本明細書で述べた全ての方法は、本明細書で別段の指摘がない限り、又は文脈により明らかな矛盾がない限り、適切な任意の順番をとりうる。本明細書で提供するあらゆる例、又は例示的表現（例、「など」）は単に発明をよりよく例証することを意図しており、それとは異なる意図で請求をしていない限り、発明の範囲に制限を課すものではない。本明細書におけるいかなる文言も、あらゆる請求の範囲に記載されていない要素を発明の実施に不可欠である要素を示すものとして解釈してはならない。
【００２２】
本発明を実施するために本発明者が知る最善の実施態様を含めて、本発明の好適な実施態様が本明細書において説明されている。以上の説明を読めば、これら好適な実施態様の改良は当業者には自明である。本発明者は、当業者が当該改良を目的に応じて採用することを予期し、本発明者は、本発明が本明細書で具体的に説明した以外の形で実施されることを予定している。従って、本発明は、適用される法律が認める限りにおいて、本明細書に添付の請求項で挙げる主題の全ての改良及び均等物を含む。さらに、本明細書で別段の指摘がない限り、又は文脈上明らかに矛盾がない限り、そのあらゆる改良において、前述の要素のあらゆる組み合わせが、本発明に包含される。
【図面の簡単な説明】
【００２３】
【図１】図１は、本発明の一実施態様を組み込んだキャンプ用コンロの側面透視図であり、キャンプ用コンロの閉状態の形態を示す。
【図２】図２は、図１のキャンプ用コンロの開状態の側面透視図である。
【符号の説明】
【００２４】
２０  キャンプ用コンロ
２２  火室
２４  焼き網（グリル）
２６  焼き板（グルドル）
２８  バーナー
３０，３２  調整ノブ
３４  プロパンガスボンベ
４０  蓋
４２  ラッチ
４４，４６  棚板兼用風防板
４８  基部
５０  角度付きブラケット
５２，５４  スロット
５６  スロット開口
５８  突起
【図１】
2008518188.tif 000003
【図２】
2008518188.tif 000004
【国際調査報告】
2008518188.tif 000005
2008518188.tif 000006
2008518188.tif 000007